(57)【要約】【課題】ネットワークデータおよびローカルデータに基づいた表示制御によりネットワークデータおよびローカルデータを一元管理することが可能な表示制御装置、表示制御方法、およびプログラムを提供する。【解決手段】ローカルデータを記憶する記憶部と、ネットワークを介してネットワークデータを収集するデータ収集部と、前記データ収集部によって収集された前記ネットワークデータを保持するデータ保持部と、前記記憶部に記憶された前記ローカルデータ、および、前記データ保持部に保持された前記ネットワークデータに基づいて表示制御を行う表示制御部と、を備える、表示制御装置。【選択図】図１
2013117869.tif 000002
【特許請求の範囲】
【請求項１】
ローカルデータを記憶する記憶部と、
ネットワークを介してネットワークデータを収集するデータ収集部と、
前記データ収集部によって収集された前記ネットワークデータを保持するデータ保持部と、
前記記憶部に記憶された前記ローカルデータ、および、前記データ保持部に保持された前記ネットワークデータに基づいて表示制御を行う表示制御部と、
を備える、表示制御装置。
【請求項２】
前記ネットワークデータは、コンテンツに関連する情報である、請求項１に記載の表示制御装置。
【請求項３】
前記コンテンツに関連する情報は、前記コンテンツの縮小画像データ、前記コンテンツに関連付けられている時情報、および前記コンテンツに対するコメントの少なくともいずれかを含む、請求項２に記載の表示制御装置。
【請求項４】
前記表示制御部は、前記ネットワークデータの収集元を表示する、請求項１に記載の表示制御装置。
【請求項５】
前記記憶部は、時情報と関連付けられた前記ローカルデータを記憶し、
前記データ収集部は、時情報と関連付けられた前記ネットワークデータを収集し、
前記表示制御部は、前記ローカルデータおよび前記ネットワークデータの各々に基づく表示を、前記ローカルデータおよび前記ネットワークデータの各々に関連付けられている時情報に対応する時間軸上の位置に配置する、請求項１に記載の表示制御装置。
【請求項６】
前記表示制御部は、前記ローカルデータおよび前記ネットワークデータの各々に基づく表示を、前記ローカルデータおよび前記ネットワークデータの各々に関連付けられている時情報に基づいてグループ化し、各グループを前記時間軸上に配置する、請求項５に記載の表示制御装置。
【請求項７】
前記表示制御部は、前記時間軸上に配置する各グループの表示領域において、同グループに含まれる複数のデータをマトリクス状に表示する、請求項６に記載の表示制御装置。
【請求項８】
前記コンテンツに関連する情報は、前記ネットワークを介して前記コンテンツの実データにアクセスするためのアクセス情報を含む、請求項２に記載の表示制御装置。
【請求項９】
前記データ収集部は、表示する前記ネットワークデータに対するユーザによる実データ表示操作が検出されると、前記アクセス情報に基づいて前記コンテンツの実データを収集し、
前記表示制御部は、前記データ収集部により収集した前記コンテンツの実データを表示する、請求項８に記載の表示制御装置。
【請求項１０】
前記表示制御装置は、
表示する前記ローカルデータに対するユーザによるアップロード操作が検出されると、前記ローカルデータをユーザに指定されたアップロード先に送信するデータ送信部をさらに備える、請求項１に記載の表示制御装置。
【請求項１１】
前記表示制御部は、表示する前記コンテンツに対するコメントについてユーザによるリプライ操作が検出されると、リプライ内容を入力するための入力画面を表示し、
前記表示制御装置は、
前記入力画面から入力されたリプライ内容を前記コンテンツに対するコメントのリプライ先に送信するデータ送信部をさらに備える、請求項１に記載の表示制御装置。
【請求項１２】
ローカルデータを記憶部に記憶するステップと、
ネットワークを介してネットワークデータを収集するステップと、
前記収集するステップによって収集された前記ネットワークデータをデータ保持部に保持するステップと、
前記記憶部に記憶された前記ローカルデータ、および、前記データ保持部に保持された前記ネットワークデータに基づいて表示制御を行うステップと、
を含む、表示制御方法。
【請求項１３】
ローカルデータを記憶部に記憶する処理と、
ネットワークを介してネットワークデータを収集する処理と、
前記収集する処理によって収集された前記ネットワークデータをデータ保持部に保持する処理と、
前記記憶部に記憶された前記ローカルデータ、および、前記データ保持部に保持された前記ネットワークデータに基づいて表示制御を行う処理と、
をコンピュータに実行させる、プログラム。
【発明の詳細な説明】
【技術分野】
【０００１】
本開示は、表示制御装置、表示制御方法、およびプログラムに関する。
【背景技術】
【０００２】
近年、ノート型コンピュータ（以下、ノートＰＣと称す）の他、携帯電話やゲーム機器等の小型機器においても、様々な機能が搭載されてきている。具体的には、通信機能や通話機能はもとより、例えば、電子メール機能、撮像機能、又はスケジュール管理機能等の多様な機能が搭載されている。こうした機器のユーザは、各機能に各々対応したアプリケーションを起動させて実行する必要があり、異なるコンテンツを利用しようとする場合に一旦メニュー画面に戻って所望のコンテンツを選択する画面に切り替えるなどの手間が生じてしまう。
【０００３】
これに対し下記特許文献１では、時間情報をキーにして複数種類のデータを比較対照することが可能な表示インターフェースが提案されている。
【先行技術文献】
【特許文献】
【０００４】
【特許文献１】特開２００９−４８３１１号公報
【発明の概要】
【発明が解決しようとする課題】
【０００５】
しかしながら、特許文献１に開示されている技術は、記憶装置に記憶されている複数種類のデータ、すなわちローカルデータを一覧表示するものである。よって、ネットワークサービスとしてネットワーク上に提供されているデータ（コンテンツ）を表示する場合は、改めて専用のアプリケーションを起動した上でコンテンツにアクセスする必要があり、手間がかかっていた。
【０００６】
また、ローカルデータの一覧表示を行う技術では、専用のアプリケーションを起動して所望のコンテンツの実データをネットワーク上からローカルに一旦ダウンロードした上で表示するので、コンテンツの表示に時間がかかっていた。
【０００７】
そこで、本開示では、ネットワークデータおよびローカルデータに基づいた表示制御によりネットワークデータおよびローカルデータを一元管理することが可能な、新規かつ改良された情報処理装置、表示制御方法およびプログラムを提案する。
【課題を解決するための手段】
【０００８】
本開示によれば、ローカルデータを記憶する記憶部と、ネットワークを介してネットワークデータを収集するデータ収集部と、前記データ収集部によって収集された前記ネットワークデータを保持するデータ保持部と、前記記憶部に記憶された前記ローカルデータ、および、前記データ保持部に保持された前記ネットワークデータに基づいて表示制御を行う表示制御部と、を備える表示制御装置を提案する。
【０００９】
本開示によれば、ローカルデータを記憶部に記憶するステップと、ネットワークを介してネットワークデータを収集するステップと、前記収集するステップによって収集された前記ネットワークデータをデータ保持部に保持するステップと、前記記憶部に記憶された前記ローカルデータ、および、前記データ保持部に保持された前記ネットワークデータに基づいて表示制御を行うステップと、を含む表示制御方法を提案する。
【００１０】
本開示によれば、ローカルデータを記憶部に記憶する処理と、ネットワークを介してネットワークデータを収集する処理と、前記収集する処理によって収集された前記ネットワークデータをデータ保持部に保持する処理と、前記記憶部に記憶された前記ローカルデータ、および、前記データ保持部に保持された前記ネットワークデータに基づいて表示制御を行う処理と、をコンピュータに実行させるプログラムを提案する。
【発明の効果】
【００１１】
以上説明したように本開示によれば、ネットワークデータおよびローカルデータに基づいた表示制御によりネットワークデータおよびローカルデータを一元管理することが可能となる。
【図面の簡単な説明】
【００１２】
【図１】本開示の一実施形態による表示システムの概要を説明するための図である。
【図２】本開示の一実施形態による情報処理装置の構成を示すブロック図である。
【図３】本開示の一実施形態による情報処理装置の動作処理を示すフローチャートである。
【図４】本開示の第１の実施形態によるローカル／ネットワークデータの一元管理が行われる表示画面の一例を示す図である。
【図５】本開示の第１の実施形態による収集元のＮＷＳを示すアイコンを含む表示画面の一例を示す図である。
【図６】本開示の第１の実施形態によるサムネイル画像に対するユーザ操作に応じたネットワークサービスへのアクセスについて説明するための図である。
【図７】本開示の第１の実施形態による表示されたコメントに対して返信する場合について説明するための図である。
【図８】本開示の第２の実施形態による複数種類のデータを時間軸上に配置した表示画面の一例を示す図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態による表示システムの概要
２．情報処理装置の構成および動作
３．各実施形態
３−１．第１の実施形態
３−２．第２の実施形態
４．まとめ
【００１５】
＜１．本開示の一実施形態による表示システムの概要＞
まず、本開示の一実施形態による表示システムの概要について図１を参照して説明する。図１に示すように、本開示の一実施形態による表示システムは、情報処理装置１０、ネットワーク３０、およびネットワークサービスサーバ３３ａ、３３ｂ（以下、ＮＷＳサーバ３３ａ、３３ｂと称す）を含む。なお、以下ＮＷＳサーバ３３ａ、３３ｂを個々に区別する必要がない場合はＮＷＳサーバ３３と称す。
【００１６】
（ＮＷＳサーバ３３）
ＮＷＳサーバ３３は、コンテンツを管理し、コンテンツの利用をネットワーク上で提供するサーバである。ＮＷＳサーバ３３が管理するコンテンツは、例えば、写真、動画、文章、音楽およびゲーム等である。
【００１７】
また、ＮＷＳサーバ３３ａ、３３ｂは、それぞれコンテンツＤＢ３５ａ、３５ｂを有する。なお、以下コンテンツＤＢ３５ａ、３５ｂを個々に区別する必要がない場合はコンテンツＤＢ３５と称す。
【００１８】
コンテンツＤＢ３５は、コンテンツの実データ、およびコンテンツに関連する情報であるネットワークデータを記憶する。本明細書において、コンテンツの実データとは、コンテンツ自体のデータである。例えば、画像データ、テキストデータ、音声データ、およびゲームプログラム等である。また、本明細書において、ネットワークデータ（コンテンツに関連する情報）とは、コンテンツに関連付けられたメタデータである。メタデータの具体例としては、以下の例が挙げられる。
（Ａ）コンテンツの縮小画像（サムネイル画像とも称す）
（Ｂ）コンテンツのＧＰＳ（Ｇｌｏｂａｌ  Ｐｏｓｉｔｉｏｎｉｎｇ  Ｓｙｓｔｅｍ）情報
（Ｃ）コンテンツの撮影時間
（Ｄ）コンテンツのアップロード時間
（Ｅ）コンテンツに対して投稿されたテキスト情報（コメントとも称す）および投稿したユーザ情報
（Ｆ）コンテンツを管理しているＮＷＳサーバ３３に関する情報
【００１９】
上述したメタデータの詳細のうち、「（Ｆ）コンテンツを管理しているＮＷＳサーバ３３に関する情報」には、ＮＷＳサーバ３３のＵＲＬ等、ＮＷＳサーバ３３にアクセスするためのアクセス情報が含まれる。
【００２０】
（情報処理装置１０）
情報処理装置１０は、図１に示すように、ネットワーク３０を介して複数のＮＷＳサーバ３３と接続し、ＮＷＳサーバ３３からコンテンツＤＢ３５に格納されるネットワークデータを所定の時間間隔毎に収集する。
【００２１】
本実施形態による情報処理装置１０は、情報処理装置１０内で記憶するローカルデータ、およびＮＷＳサーバ３３から所定の時間間隔毎に収集したネットワークデータを、各々のデータに関連付けられた時情報に応じて、表示部１９に時系列表示する。
【００２２】
なお、図１では、情報処理装置１０としてノートＰＣを示すが、本実施形態による情報処理装置１０はこれに限定されず、例えばスマートフォン、ＰＤＡ（Ｐｅｒｓｏｎａｌ  Ｄｉｇｉｔａｌ  Ａｓｓｉｓｔａｎｔｓ）、携帯電話、携帯用音楽再生装置、携帯用映像処理装置または携帯用ゲーム機器であってもよい。
【００２３】
＜２．情報処理装置の構成および動作＞
以上、本開示の一実施形態による表示システムの概要について説明した。続いて、表示システムに含まれる情報処理装置１０の構成および動作処理について順次説明する。
【００２４】
［２−１．構成］
図２は、本実施形態による情報処理装置１０の構成を示すブロック図である。図２に示すように、情報処理装置１０は、ネットワークデータ収集部１１、ネットワークデータＤＢ１３、ローカルデータＤＢ１５、表示制御部１７、表示部１９、操作入力部２１、およびデータ送信部２３を有する。以下、各構成について説明する。
【００２５】
ネットワークデータ収集部１１（以下、データ収集部１１とも称す）は、ネットワーク３０を介してＮＷＳサーバ３３からネットワークデータを所定の時間間隔毎に収集する。なお、データ収集部１１がどのＮＷＳサーバからネットワークデータを収集するかについては、予めユーザにより設定され得る。例えば、ユーザは、予め設定画面（不図示）に列挙される複数のネットワークサービス（ＮＷＳ）から利用したいＮＷＳを選択し、かかるＮＷＳで利用するアカウントを設定する。データ収集部１１は、このようにユーザにより選択されたＮＷＳのＮＷＳサーバ３３に所定の時間間隔毎にアクセスし、設定されたアカウントを利用して自動的にＮＷＳサーバ３３からネットワークデータを収集する。
【００２６】
また、本実施形態によるデータ収集部１１は、ユーザによる実データ表示操作に応じて、ネットワークデータに含まれるアクセス情報に基づきコンテンツの実データを収集してもよい。
【００２７】
ネットワークデータＤＢ１３は、データ収集部１１により収集されたネットワークデータ（コンテンツに関連する情報）を保持するデータ保持部である。ネットワークデータＤＢ１３は、不揮発性メモリのＨＤＤ等や揮発性メモリを含む。
【００２８】
ローカルデータＤＢ１５は、情報処理装置１０内でローカルデータを蓄積していく記憶装置である。本明細書においてローカルデータとは、コンテンツの実データおよびコンテンツに関連付けられたメタデータを含む。ローカルデータＤＢ１５に記憶されるメタデータの具体例としては、以下の例が挙げられる。
（ａ）コンテンツの縮小画像（サムネイル画像）
（ｂ）コンテンツのＧＰＳ情報
（ｃ）コンテンツの撮影時間
【００２９】
表示制御部１７は、ローカルデータＤＢ１５に記憶されたローカルデータ、およびネットワークデータＤＢ１３に保持されたネットワークデータに基づいて表示制御を行うことで、これらを一元管理することができる。
【００３０】
また、ネットワークデータには、コンテンツのサムネイル画像に加え、当該コンテンツに対して投稿されたコメント（例えばテキスト情報）が含まれている場合もある。この場合、表示制御部１７は、ローカルデータのサムネイル画像、ネットワーク上のコンテンツのサムネイル画像、および当該ネットワーク上のコンテンツのサムネイル画像に対するコメント（テキスト情報）を、一つの画面に表示し、複数種類のデータを一元管理することができる。
【００３１】
また、ネットワークデータは、上述したように複数のＮＷＳサーバ３３から収集され得るので、ローカルデータ、および複数のネットワークデータを一元管理することもできる。
【００３２】
また、表示制御部１７は、ローカルデータおよびネットワークデータを、各々に関連付けられている時情報に対応する時間軸上の位置に配置（時系列に配置）して表示させてもよい。なお、本実施形態による表示制御部１７による具体的な表示制御については、＜３．各実施形態＞において詳細に説明する。
【００３３】
表示部１９は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  ｌｉｇｈｔ−Ｅｍｉｔｔｉｎｇ  Ｄｉｏｄｅ）またはＣＲＴ（Ｃａｔｈｏｄｅ  Ｒａｙ  Ｔｕｂｅ）などにより構成される表示モジュールである。本実施形態による表示部１９は、表示制御部１７の制御に従い、例えばローカルデータおよびネットワークデータを時系列に並べた表示画面を表示する。
【００３４】
操作入力部２１は、マウス、キーボード、タッチパネル、ボタン、マイク、スイッチ、レバーおよびリモートコントローラーなどユーザが情報を入力するための入力手段と、ユーザによる入力に基づいて入力信号を生成し、表示制御部１０７等（ＣＰＵ）に出力する入力制御回路などから構成されている。本実施形態による操作入力部２１は、ユーザによる実データ表示操作、アップロード操作、およびリプライ操作などを検出する。
【００３５】
データ送信部２３は、ネットワーク３０を介してデータを送信する。本実施形態によるデータ送信部２３は、ユーザによるアップロード操作に応じて、アップロード先（例えばＮＷＳサーバ３３）にローカルデータを送信する。また、本実施形態によるデータ送信部２３は、ユーザによるリプライ操作に応じて、リプライ先（例えばＮＷＳサーバ３３）にリプライデータ（コメント等）を送信する。なお、アップロード先やリプライ先にアクセスするためのアクセス情報は、ネットワークデータＤＢ１３に保持されたネットワークデータに含まれる。
【００３６】
以上、本開示の一実施形態による情報処理装置１０の構成について詳細に説明した。続いて、上記構成を有する情報処理装置１０による動作処理について図３を参照して説明する。
【００３７】
［２−２．動作処理］
図３は、本実施形態による情報処理装置１０の動作処理を示すフローチャートである。図３に示すように、まず、ステップＳ１０３において、データ収集部１１は、ネットワーク３０を介して予めユーザに設定されたＮＷＳサーバ３３からネットワークデータを所定の時間間隔毎に収集する。
【００３８】
次いで、ステップＳ１０６において、ネットワークデータＤＢ１３は、データ収集部１１により収集されたネットワークデータを保持する。
【００３９】
次に、ステップＳ１０９において、表示制御部１７は、ローカルデータＤＢ１５に記憶されているローカルデータを呼び出す。
【００４０】
次いで、ステップＳ１１２において、表示制御部１７は、ネットワークデータＤＢ１３に保持されているネットワークデータを呼び出す。
【００４１】
次に、ステップＳ１１５において、表示制御部１７は、ローカルデータおよびネットワークデータに基づいて表示制御を行う。具体的には、例えばローカルデータおよびネットワークデータの各々に関連付けられた時情報に応じて、ローカルデータおよびネットワークデータを配置してもよい。
【００４２】
＜３．各実施形態＞
上述したように、本実施形態による表示制御部１７は、ローカルデータおよびネットワークデータに基づいて表示制御を行う。
ネットワークデータは、上述したように、コンテンツに関連する情報であって、例えばコンテンツに対してユーザや他のユーザが投稿したコメント、投稿したユーザの情報、およびコンテンツをアップロードした時間情報等、コンテンツがネットワーク上に公開されていることに基づく特有の情報が含まれる。本実施形態によれば、ローカルデータと共に、ネットワーク上のコンテンツのサムネイル画像、さらにユーザの投稿コメント等も表示することで、ローカル／ネットワークデータを一元管理することができる。以下、複数の実施形態を挙げてローカル／ネットワークデータの一元管理について具体的に説明する。
【００４３】
［３−１．第１の実施形態］
第１の実施形態では、具体例として、ローカルデータＤＢ１５に記憶されている写真や動画等の画像データ、およびＮＷＳサーバ３３のコンテンツＤＢ３５に記憶されている写真や動画等の画像データの一元管理について説明する。
【００４４】
ここで情報処理装置１０のデータ収集部１１は、ネットワーク３０を介して予め設定されたＮＷＳサーバ３３にアクセスし、ネットワークデータを収集する。ネットワークデータには、写真や動画等の画像データ（コンテンツ／実データ）のサムネイル画像、画像データの撮影時間、および画像データに対して投稿されたテキスト情報等が含まれる。データ収集部１１により収集されたこのようなネットワークデータはネットワークデータＤＢ１３に保持される。
【００４５】
また、本実施形態において、ローカルデータＤＢ１５には、画像データ（コンテンツ／実データ）、画像データのサムネイル画像、および画像データの撮影時間が記憶されている。
【００４６】
そして、表示制御部１７は、ローカルデータＤＢ１５およびネットワークデータＤＢ１３からサムネイル画像を呼び出し、表示画面上に配置することで、ローカル／ネットワークデータを一元管理する。
【００４７】
（グループ分け）
管理する写真や動画が大量の場合、表示制御部１７は、サムネイル画像に関連付けられている撮影時間に基づいてサムネイル画像をグループ分けした上で、各グループ（プレイリスト）を撮影時間に対応する時間軸上の位置に表示して管理してもよい。本実施形態によるグループ分けの手法は様々考え得るが、例えば以下のような手法が挙げられる。
【００４８】
・イベント毎のグループ分け
表示制御部１７は、画像データの撮影日時に基づいてイベント毎にグループ分けを行う。例えば、誕生日、旅行、および結婚式等の日付に基づいて、イベント毎にサムネイル画像をグループ分けすることができる。そして、表示制御部１７は、グループ分けした各プレイリストを、「誕生日」、「旅行」、「結婚式」などのイベントタイトルおよび日付表示と共に、各イベントの日付に応じて時系列に並べて表示してもよい。
【００４９】
・月単位でグループ分け
表示制御部１７は、画像データの撮影日時に基づいて同年の各月毎にグループ分けを行う。例えば、２００９年の１月、２月・・・、１２月毎にサムネイル画像をグループ分けすることができる。そして、表示制御部１７は、グループ分けした各プレイリストを時系列に並べて表示してもよい。
【００５０】
・年単位でグループ分け
表示制御部１７は、画像データの撮影日時に基づいて各年毎にグループ分けを行う。例えば、２００８年、２００９年、２０１０年毎にサムネイル画像をグループ分けすることができる。そして、表示制御部１７は、グループ分けした各プレイリストを時系列に並べて表示してもよい。
【００５１】
なお、各プレイリストの表示は、プレイリストに含まれる複数のサムネイル画像をマトリックス状に表示したものであってもよいし、代表として１つのサムネイル画像を表示したものであってもよい。
【００５２】
以下、このような撮影時間に基づいたグループ分けによるローカル／ネットワークデータの一元管理が行われる表示画面について図４を参照して具体的に説明する。
【００５３】
図４は、第１の実施形態によるローカル／ネットワークデータの一元管理が行われる表示画面の一例を示す図である。図４に示す表示画面４０では、各画像データの撮像時間に基づいてグループ分けされたプレイリストＰ１〜Ｐ４が水平方向に配置される。図４に示す例では、月単位のプレイリストの横に、その月の日単位のプレイリストが順次時系列に並ぶ。ユーザは表示画面を水平方向にスクロール操作することで同年の前月や翌月のプレイリストを閲覧することができる。なお、他の年のプレイリストを閲覧したい場合は、ユーザは図４に示す年度リスト４１から所望する年度を選択する。
【００５４】
また、各プレイリストＰ１〜Ｐ４は、図４に示すように、各プレイリストに含まれる複数のサムネイル画像をマトリックス状に表示したものである。マトリックスの粗さは、図４に示すスクロールバー４５で調整することができる。
【００５５】
また、表示制御部１７は、各プレイリストＰ１〜Ｐ４を識別するための表示を併せて表示してもよい。例えば、プレイリストＰ２は、５月に撮影された画像データのサムネイル画像を含む月単位のプレイリストであるので、図４に示すように、プレイリストＰ２の下に「Ｍａｙ，Ａｌｌ」と表示する。一方、プレイリストＰ３は、５月１２日に撮影された画像データのサムネイル画像を含む日単位のプレイリストであるので、図４に示すように、プレイリストＰ３の下に「Ｍａｙ，１２」と表示する。
【００５６】
また、表示制御部１７は、プレイリストＰ２内に含まれる画像データの種別毎の数を併せて表示してもよい。例えば、プレイリストＰ２は、８０枚の写真データと３本の動画データの各サムネイル画像を含むので、図４に示すように、「８０ｐｈｏｔｏｓ，３Ｖｉｄｅｏｓ」と表示する。
【００５７】
さらに、表示制御部１７は、ネットワーク上から収集したサムネイル画像（ネットワークデータ）を含むプレイリストの場合、画像データに対して投稿されたコメントを併せて表示してもよい。表示するコメントの数は、例えば図４に示すように、代表として１つのコメント４３を表示してもよい。
【００５８】
（ネットワークサービスを示す表示）
また、表示制御部１７は、ネットワーク上から収集したサムネイル画像を表示する場合、どのネットワークサービス（ＮＷＳ）のＮＷＳサーバ３３から収集したデータであるのか、データの収集元を併せて表示してもよい。
【００５９】
図５は、収集元のＮＷＳを示すアイコンを含む表示画面の一例を示す図である。図５に示す表示画面５０では、日単位のプレイリストＰ５の横に、その日付で撮影された画像データのサムネイル画像Ｓ１〜Ｓ３が順次並ぶ。ユーザは表示画面を水平方向にスクロール操作することで前日、同日、翌日付けのサムネイル画像を閲覧することができる。
【００６０】
図５に示すプレイリストＰ５は、図４のプレイリストＰ１〜Ｐ４と異なり、代表して１枚のサムネイル画像と、当該サムネイル画像の左上に「Ａｌｌ」の文字が表示されている。また、代表して表示するサムネイル画像がコメント付きの場合、図５に示すように、コメント５３を表示する。なお、他のサムネイル画像もコメント付きの場合、図５に示すように、コメント５３の後ろに複数のコメントが重なっているよう表示してもよい。
【００６１】
ここで、図５に示すサムネイル画像Ｓ１は、ローカルデータＤＢ１５から呼び出したローカルのサムネイル画像であって、また、サムネイル画像Ｓ２、Ｓ３は、ネットワークデータＤＢ１３から呼び出したネットワークデータである。
【００６２】
表示制御部１７は、サムネイル画像Ｓ２、Ｓ３のように、ネットワークデータＤＢ１３から呼び出したネットワークデータを表示する場合、どのＮＷＳから収集したデータであるのか、データの収集元を併せて表示する。
【００６３】
例えば、サムネイル画像Ｓ２がＮＷＳ−１から収集したネットワークデータである場合、表示制御部１７は、「ＮＷＳ−１」を示すＮＷＳアイコンＩ１をサムネイル画像Ｓ２上に表示する。また、画像データに対するコメント５５を表示する場合にも、図５に示すように、ＮＷＳアイコンＩ１を表示する。
【００６４】
また、サムネイル画像Ｓ３がＮＷＳ−２から収集したネットワークデータである場合、表示制御部１７は、「ＮＷＳ−２」を示すＮＷＳアイコンＩ２をサムネイル画像Ｓ３上に表示する。また、画像データに対するコメント５７を表示する場合にも、図５に示すように、ＮＷＳアイコンＩ２を表示する。
【００６５】
（アップロードおよび実データ表示）
また、本実施形態では、ユーザ操作に応じて、表示されたサムネイル画像の実データをネットワーク上から収集して表示したり、ローカルデータをＮＷＳサーバ３３にアップロードしたりなど、ユーザ操作に応じたネットワークサービスへのアクセスが可能である。以下、図６を参照して具体的に説明する。
【００６６】
図６は、表示されたサムネイル画像に対するユーザ操作に応じたネットワークサービスへのアクセスについて説明するための図である。図６の表示画面６０に示すように、例えばマウスポインタ６３をローカルデータのサムネイル画像Ｓ１の上に移動させ、右クリックを押すとメニュー画面６５が表示される。メニュー画面６５には、サムネイル画像の元画像データ（実データ／コンテンツ）を再生する「再生」と、サムネイル画像の元画像データ（実データ／コンテンツ）をネットワーク上に送信する「アップロード」の項目が表示される。
【００６７】
・アップロード操作
ユーザが、メニュー画面６５のうち「アップロード」を選択すると、アップロード先選択画面６７が表示される。次に、ユーザはアップロード先選択画面６７に表示されたアップロード可能なネットワークサービス（例えば、ＮＷＳ−１〜３）の項目からアップロード先を選択すると、アップロード操作が操作入力部２１により検出される。そして、データ送信部２３は、操作入力部２１により検出されたアップロード操作に従って、ローカルデータＤＢ１５に記憶されているサムネイル画像Ｓ１の元画像データ（実データ／コンテンツ）を、選択されたＮＷＳのＮＷＳサーバ３３に送信する。
【００６８】
・実データ表示操作
また、マウスポインタ６３をサムネイル画像Ｓ２上に移動させ、右クリックを押して表示されるメニュー６５から「再生」を選択すると、操作入力部２１により再生（実データ表示）操作が検出される。ここで、サムネイル画像Ｓ２はネットワークデータＤＢ１３に保持されたネットワークデータであるので、再生（実データの表示）を行うためには、ＮＷＳサーバ３３から実データを取得する必要がある。
【００６９】
よって、操作入力部２１によりネットワークデータの実データ表示操作が検出されると、データ収集部１１は、ネットワークデータＤＢ１３に保持されるネットワークデータに含まれるアクセス情報に基づいて、ＮＷＳサーバ３３のコンテンツＤＢ３５に記憶されている実データにアクセスし、実データを収集する。そして、表示制御部１７は、データ収集部１１により収集された実データを表示する（例えば、動画データの再生）。
【００７０】
（リプライ操作）
また、本実施形態では、表示されたコメントに対するリプライ（返信）を行うこともできる。例えば、図７の表示画面７０に示すように、返信操作が可能なコメント５５には返信アイコン７３が表示される。ユーザが返信アイコン７３を選択すると、返信内容を入力するための入力画面（不図示）が表示され、ユーザは返信コメントを入力する。そして、ユーザが返信コメントを送信するよう操作すると（例えば、シェアボタンを選択）、データ送信部２３は、当該返信コメントを送信する。なお、返信コメントの送信先のアクセス情報は、ネットワークデータＤＢ１３に保持されるネットワークデータに含まれている。
【００７１】
［３−２．第２の実施形態］
上述した第１の実施形態では、写真／動画の画像データを管理する場合について説明したが、本発明による一元管理可能なローカル／ネットワークデータは、画像データに限定されない。例えば、一元管理可能なローカル／ネットワークデータは、ＴＶ情報、音楽、ニュース、スケジュール、購入予定／購入済みの商品データであってもよい。
【００７２】
第２の実施形態では、ＴＶ情報、音楽、ニュース、スケジュール、購入予定／購入済みの商品データ等の様々なコンテンツを、各々に関連付けられている時情報に対応する時間軸上の位置に配置することで一元管理する。例えば、本実施形態による表示制御部１７は、図８に示すように、各コンテンツに基づくサムネイル画像８３ａ〜８３ｅおよびテキスト情報８５等を、各々に関連付けられている時情報に対応する時間軸８１上の位置に配置した表示画面８０を表示する。
【００７３】
例えば、サムネイル画像８３ａ、８３ｃ、８３ｄは、ＴＶ番組の再生／録画等を行うコンテンツに基づくものであって、再生／録画時間に応じる時間軸８１上の位置に、再生／録画した番組を示す画像として表示される。サムネイル画像８３ｂは、音楽再生等を行うコンテンツに基づくものであって、音楽再生時間に応じる時間軸８１上の位置に、再生した音楽を示す画像として表示される。
【００７４】
サムネイル画像８３ｅは、ネットワークを介して商品の購入／購入予約サービス等を提供するコンテンツに基づくものであって、購入予定日に応じる時間軸８１上の位置に、購入予定の商品を示す画像として表示される。サムネイル画像８３ｆは、スケジュールを管理するコンテンツに基づくものであって、設定されたスケジュールに応じる時間軸８１上の位置に、スケジュール内容を示す画像として表示される。
【００７５】
また、テキスト情報８５は、ネットワーク上でショートコメントを共有するコンテンツであるネットワークサービス１に基づくものであって、ユーザが投稿した時間に応じる時間軸８１上の位置に、ショートコメントの内容を示すものとして表示される。
【００７６】
なお、雑多な画面になってしまうことを防ぐために、ユーザの操作ログからユーザの嗜好を解析し、各コンテンツに優先度をつけ、優先度の高いコンテンツのサムネイル画像を優先的に表示してもよい。ユーザの操作ログとは、ユーザが視聴／予約したＴＶ番組情報、音楽データの再生回数、スケジュール内容、商品の購入履歴、表品の購入予約等のログである。
【００７７】
また、各コンテンツの優先度に応じて、表示画面８０に表示するサムネイル画像の位置（時間軸８１に対して垂直方向の位置）や大きさを決定してもよい。
【００７８】
また、表示画面８０には、解析したユーザの嗜好に基づいて、レコメン情報を時情報に対応付けて表示してもよい。例えば、表示制御部１７は、ユーザが好きな歌手のライブ先行予約が開始される日時をレコメン情報として表示してもよい。
【００７９】
＜４．まとめ＞
上述したように、本実施形態による表示システムでは、ローカルデータＤＢ１５に記憶されたローカルデータおよびネットワークデータＤＢ１３に保持されたネットワークデータに基づいて表示制御を行い、これらを統合的に一元管理することができる。これにより、ユーザによるローカルデータおよびネットワークデータのコンテンツ管理の手間が省け、ユーザはコンテンツ管理をシンプルに行うことができる。
【００８０】
また、本実施形態では、コンテンツに関連する情報であるネットワークデータを所定の時間間隔毎にネットワーク上から収集してネットワークデータＤＢ１３に保持する。
そして、本実施形態では、ローカルデータと、このように保持したネットワークデータに基づいて表示制御するので、表示制御の際にネットワーク上のコンテンツ（実データ）に改めてアクセスする必要がなく、表示速度を高速化することが可能となる。また、これによりユーザの操作ストレスを軽減することも可能となる。
【００８１】
また、本実施形態では、ローカルデータのサムネイル画像、およびネットワーク上のコンテンツのサムネイル画像と共に、投稿されたコメントも一つの画面に表示し、統合的に一元管理することができる。
【００８２】
さらに、本実施形態では、画像データだけではなく、ＴＶ情報、音楽、ニュース、スケジュール、購入履歴等の様々なコンテンツを統合的に一元管理することができる。
【００８３】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属
するものと了解される。
【００８４】
また、上述した表示制御部１７の機能は、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、およびＲＡＭ（Ｒａｎｄｏｍ Ａｃｃｅｓｓ Ｍｅｍｏｒｙ）のハードウェア構成によって実現されてもよい。
【００８５】
なお、本技術は以下のような構成も取ることができる。
（１）
ローカルデータを記憶する記憶部と、
ネットワークを介してネットワークデータを収集するデータ収集部と、
前記データ収集部によって収集された前記ネットワークデータを保持するデータ保持部と、
前記記憶部に記憶された前記ローカルデータ、および、前記データ保持部に保持された前記ネットワークデータに基づいて表示制御を行う表示制御部と、
を備える、表示制御装置。
（２）
前記ネットワークデータは、コンテンツに関連する情報である、前記（１）に記載の表示制御装置。
（３）
前記コンテンツに関連する情報は、前記コンテンツの縮小画像データ、前記コンテンツに関連付けられている時情報、および前記コンテンツに対するコメントの少なくともいずれかを含む、前記（２）に記載の表示制御装置。
（４）
前記表示制御部は、前記ネットワークデータの収集元を表示する、前記（１）〜（３）のいずれか１項に記載の表示制御装置。
（５）
前記記憶部は、時情報と関連付けられた前記ローカルデータを記憶し、
前記データ収集部は、時情報と関連付けられた前記ネットワークデータを収集し、
前記表示制御部は、前記ローカルデータおよび前記ネットワークデータの各々に基づく表示を、前記ローカルデータおよび前記ネットワークデータの各々に関連付けられている時情報に対応する時間軸上の位置に配置する、前記（１）〜（４）のいずれか１項に記載の表示制御装置。
（６）
前記表示制御部は、前記ローカルデータおよび前記ネットワークデータの各々に基づく表示を、前記ローカルデータおよび前記ネットワークデータの各々に関連付けられている時情報に基づいてグループ化し、各グループを前記時間軸上に配置する、前記（５）に記載の表示制御装置。
（７）
前記表示制御部は、前記時間軸上に配置する各グループの表示領域において、同グループに含まれる複数のデータをマトリクス状に表示する、前記（６）に記載の表示制御装置。
（８）
前記コンテンツに関連する情報は、前記ネットワークを介して前記コンテンツの実データにアクセスするためのアクセス情報を含む、前記（２）に記載の表示制御装置。
（９）
前記データ収集部は、表示する前記ネットワークデータに対するユーザによる実データ表示操作が検出されると、前記アクセス情報に基づいて前記コンテンツの実データを収集し、
前記表示制御部は、前記データ収集部により収集した前記コンテンツの実データを表示する、前記（８）に記載の表示制御装置。
（１０）
前記表示制御装置は、
表示する前記ローカルデータに対するユーザによるアップロード操作が検出されると、前記ローカルデータをユーザに指定されたアップロード先に送信するデータ送信部をさらに備える、前記（１）〜（９）のいずれか１項に記載の表示制御装置。
（１１）
前記表示制御部は、表示する前記コンテンツに対するコメントについてユーザによるリプライ操作が検出されると、リプライ内容を入力するための入力画面を表示し、
前記表示制御装置は、
前記入力画面から入力されたリプライ内容を前記コンテンツに対するコメントのリプライ先に送信するデータ送信部をさらに備える、前記（１）〜（１０）のいずれか１項に記載の表示制御装置。
（１２）
ローカルデータを記憶部に記憶するステップと、
ネットワークを介してネットワークデータを収集するステップと、
前記収集するステップによって収集された前記ネットワークデータをデータ保持部に保持するステップと、
前記記憶部に記憶された前記ローカルデータ、および、前記データ保持部に保持された前記ネットワークデータに基づいて表示制御を行うステップと、
を含む、表示制御方法。
（１３）
ローカルデータを記憶部に記憶する処理と、
ネットワークを介してネットワークデータを収集する処理と、
前記収集する処理によって収集された前記ネットワークデータをデータ保持部に保持する処理と、
前記記憶部に記憶された前記ローカルデータ、および、前記データ保持部に保持された前記ネットワークデータに基づいて表示制御を行う処理と、
をコンピュータに実行させる、プログラム。
【符号の説明】
【００８６】
１０    情報処理装置
１１    ネットワークデータ収集部
１３    ネットワークデータＤＢ
１５    ローカルデータＤＢ
１７    表示制御部
１９    表示部
２１    操作入力部
２３    データ送信部
３０    ネットワーク
３３、３３ａ、３３ｂ    ネットワークサービスサーバ（ＮＷＳサーバ）
３５、３５ａ、３５ｂ    コンテンツＤＢ
４０、５０、６０、７０、８０    表示画面
４３、５３、５５、５７    コメント
８１          時間軸
Ｐ１〜Ｐ５    プレイリスト
Ｉ１、Ｉ２    ＮＷＳアイコン
Ｓ１〜Ｓ３    サムネイル画像
【図１】
2013117869.tif 000003
【図２】
2013117869.tif 000004
【図３】
2013117869.tif 000005
【図４】
2013117869.tif 000006
【図５】
2013117869.tif 000007
【図６】
2013117869.tif 000008
【図７】
2013117869.tif 000009
【図８】
2013117869.tif 000010